(57)【要約】【課題】設備機器の取り付け作業をさらに効率化し得る設備機器の支持構造及び浴室暖房乾燥機を提供する。【解決手段】天井裏に設置された吊りボルトと、吊りボルトに螺合するナットと、吊りボルトとナットにより設備機器本体を固定する吊り金具と、を有する設備機器の支持構造であって、吊り金具１９ａは、挿通孔２７が設けられる水平部２０を含み、吊りボルト１７〜１７ｄは挿通孔に挿通され、吊りボルトに螺合したナットが挿通孔の周縁に当接して、設備機器本体を支持し、吊りボルトが挿通孔に挿通されているとき、吊りボルトが切り欠き部を通って挿通孔から抜け出るのを規制する引っ掛け部が設けられ、引っ掛け部は、水平部端部から上方向に延びる上側引っ掛け部３１と水平部端部から下方向に延びる下側引っ掛け部３２を含み、吊りボルトが挿通孔から抜け出るのを規制する。【選択図】図４
2019132521.tif 000002
【特許請求の範囲】
【請求項１】
天井裏に設置された吊りボルトと、
前記吊りボルトに螺合するナットと、
前記吊りボルトと前記ナットにより設備機器本体を固定する吊り金具と、を有する設備機器の支持構造であって、
前記吊り金具は、挿通孔が設けられる水平部を含み、
前記挿通孔は、前記吊りボルトを通すことができるように設けられ、
前記吊りボルトは前記挿通孔に挿通され、前記吊りボルトに螺合した前記ナットが前記挿通孔の周縁に当接して、前記設備機器本体を支持し、
前記吊り金具は、前記挿通孔に連通する切り欠き部を有し、
前記切り欠き部は、前記吊りボルトを水平方向に通過させることが可能であるように設けられ、
前記吊りボルトが前記挿通孔に挿通されているとき、前記吊りボルトが前記切り欠き部を通って前記挿通孔から抜け出るのを規制する引っ掛け部が設けられ、
前記引っ掛け部は、前記水平部端部から上方向に延びる上側引っ掛け部と前記水平部端部から下方向に延びる下側引っ掛け部を含み、
前記上側引っ掛け部または／および前記下側引っ掛け部と前記ナットが接触し、前記吊りボルトが前記挿通孔から抜け出るのを規制することを特徴とする設備機器の支持構造。
【請求項２】
前記上側引っ掛け部の長さおよび前記下側引っ掛け部の長さは、前記ナットの高さ以上であることを特徴とする請求項１に記載の設備機器の支持構造。
【請求項３】
前記吊り金具は、設備機器に固定される固定部と、前記水平部と前記固定部とをつなぐ鉛直部と、
を含み、
前記水平部に設けられる水平補強リブと、
前記固定部に設けられる固定補強リブと、
前記鉛直部に設けられる鉛直補強リブと、を有し、
前記水平補強リブの長さは、前記固定補強リブの長さおよび前記鉛直補強リブの長さより長いことを特徴とする請求項１または２に記載の設備機器の支持構造。
【請求項４】
前記ナットと前記吊り金具の前記水平部との間に取り付けられる防振部材を備え、
前記上側引っ掛け部の長さ、前記下側引っ掛け部の長さは前記防振部材の高さ以上であることを特徴とする請求項１〜３のいずれか１項に記載の設備機器の支持構造。
【請求項５】
浴室内の空気を取り入れる吸込み口と、
空気を加熱する空気加熱手段と、
空気を循環させる循環送風手段と、
前記循環送風手段により前記浴室内に空気を送風する吹出し口と、
請求項１〜４のいずれか１項に記載の支持構造と、を備えた浴室暖房乾燥機。
【発明の詳細な説明】
【技術分野】
【０００１】
本発明は、浴室暖房乾燥機等の設備機器を家屋に設置するための支持構造及び浴室暖房乾燥機に関する。
【背景技術】
【０００２】
浴室の天井裏等に設けられる浴室暖房乾燥機には、浴室内の空気を浴室外に排出して換気を行ったり、気温が低い場合に浴室内に温風を供給して暖房したり、入浴後には浴室内を速やかに乾燥させて、壁面等でのカビの発生を抑制したり、あるいは洗濯物を乾燥できるようにした機能等を備えたものがある。
【０００３】
このような浴室暖房乾燥機は、本体ケースが浴室の上方に位置する家屋の構造物に吊りボルトを介して吊下支持され、本体ケースの下面であるとともに、浴室内の空気を吸込む吸込み口と、温められた空気を浴室内に吹出す吹出し口と、を備えたフロントパネルが浴室の天井面に露出される。
【０００４】
このような設備機器の支持構造では、設備機器に取付けられた複数の吊り金具に、吊りボルトを挿通した状態で本体ケースを保持しながら、ナットを螺合する作業が必要となる。従って、設備機器を一人の作業者で天井裏に設置することは困難であった。
【０００５】
特許文献１、２には、天井内に埋め込まれる設備機器の支持構造が開示されている。
【０００６】
特に特許文献１には、吊り下げボルトを挿通する連結部に規制部を設けて、連結部からの吊り下げボルトの抜けを防止する支持構造が開示されている。
【先行技術文献】
【特許文献】
【０００７】
【特許文献１】特開２０１６−１０９３１９号公報
【特許文献２】特許第６０５６９９６号公報
【発明の概要】
【発明が解決しようとする課題】
【０００８】
このような従来の支持構造では、吊り下げボルトに螺合したナットで連結部を保持している状態でのみ、吊り下げボルトの連結部からの抜けを防止することができるので、空調機を持ち上げて吊り下げ位置の調整を行う場合等に、吊り下げボルトが連結部から外れることがあるという課題を有していた。
【０００９】
本発明は、上記課題を解決するためになされたものであって、その目的は、設備機器の取り付け作業を効率化し得る設備機器の支持構造及び浴室暖房乾燥機を提供することにある。
【課題を解決するための手段】
【００１０】
上記課題を解決するために、本発明の一態様に係る設備機器の支持構造は、天井裏に設置された吊りボルトと、前記吊りボルトに螺合するナットと、前記吊りボルトと前記ナットにより設備機器本体を固定する吊り金具と、を有する設備機器の支持構造であって、前記吊り金具は、挿通孔が設けられる水平部を含み、前記挿通孔は、前記吊りボルトを通すことができるように設けられ、前記吊りボルトは前記挿通孔に挿通され、前記吊りボルトに螺合した前記ナットが前記挿通孔の周縁に当接して、前記設備機器本体を支持し、前記吊り金具は、前記挿通孔に連通する切り欠き部を有し、前記切り欠き部は、前記吊りボルトを水平方向に通過させることが可能であるように設けられ、前記吊りボルトが前記挿通孔に挿通されているとき、前記吊りボルトが前記切り欠き部を通って前記挿通孔から抜け出るのを規制する引っ掛け部が設けられ、前記引っ掛け部は、前記水平部端部から上方向に延びる上側引っ掛け部と前記水平部端部から下方向に延びる下側引っ掛け部を含み、前記上側引っ掛け部または／および前記下側引っ掛け部と前記ナットが接触し、前記吊りボルトが前記挿通孔から抜け出るのを規制する。
【発明の効果】
【００１１】
本発明の設備機器の支持構造によれば、設備機器の取り付け作業を効率化することができる。
【図面の簡単な説明】
【００１２】
【図１】浴室暖房乾燥機が設置される浴室を示す斜視図。
【図２】浴室暖房乾燥機が設置される浴室を示す断面図。
【図３】浴室暖房乾燥機を示す斜視図。
【図４】浴室暖房乾燥機の支持構造を示す斜視図。
【図５】吊り金具を示す斜視図。
【図６】浴室暖房乾燥機の設置手順を示す側面図。
【図７】浴室暖房乾燥機の設置手順を示す側面図。
【図８】浴室暖房乾燥機の設置手順を示す側面図。
【図９】浴室暖房乾燥機の設置手順を示す側面図。
【発明を実施するための形態】
【００１３】
以下、本発明の一実施形態である浴室暖房乾燥機を図面に従って説明する。
【００１４】
図１および図２に示すように、浴室暖房乾燥機１は、浴室２の天井面３にフロントパネル４が浴室２側に露出される状態で天井裏に設置される。フロントパネル４には、浴室２内の空気を吸込む吸込み口５と、浴室暖房乾燥機１から浴室２内に空気を吹出す吹出し口６が設けられている。
【００１５】
浴室暖房乾燥機１は本体ケース７内部に、熱交換器８と、循環ファン９と、を備えている。
【００１６】
空気加熱手段としての熱交換器８は、浴室暖房乾燥機１の本体ケース７内において、吸込み口５の上方に設けられ、浴室２から吸込まれる空気を加熱可能となっている。
【００１７】
また、循環送風手段としての循環ファン９は、熱交換器８の上方に設けられる。
【００１８】
循環ファン９の作動により、浴室２内の空気は吸込み口５から吸込まれて熱交換器８で温められ、温められた空気が吹出し口６から浴室２内に送風される。
【００１９】
また、本体ケース７の一方の側面には、ダンパー１０で開閉される換気口１１が設けられ、その換気口１１は換気路１２を介して屋外に連通している。
【００２０】
換気路１２には換気ファン１３が配設されている。そして、ダンパー１０の作動により換気口１１が開かれた状態で換気ファン１３が作動すると、浴室２から本体ケース７内に吸い込まれた空気が、換気路１２を経て屋外に排出されるようになっている。
【００２１】
また、本体ケース７内には制御部１４が配設され、例えば浴室２に隣接する脱衣室１５に設けられる操作パネル１６と電気的に接続されている。そして、制御部１４は、操作パネル１６から出力される操作信号と、本体ケース内に設けられている図示しない温度センサや湿度センサから出力される検出信号と、あらかじめ設定されているプログラムとに基づいて熱交換器８、循環ファン９、ダンパー１０及び換気ファン１３の動作を制御する。
【００２２】
図３に示すように、浴室暖房乾燥機１の本体ケース７は、天井裏において例えば４本の吊りボルト１７ａ〜１７ｄを介して家屋の構造物から吊下支持されている。各吊りボルト１７ａ〜１７ｄは、その上端が家屋の構造物に挿通され、その上端に螺合された吊りナット１８により構造物から吊下支持される。
【００２３】
本体ケース７の四隅部分には吊り金具１９ａ〜１９ｄがそれぞれ取着されている。吊り金具１９ａ〜１９ｄは、後述する吊りボルト１７ａ〜１７ｄと固定ナット２５とにより本体ケース７を固定する。吊り金具１９ａ〜１９ｄは、それぞれ同一の構成であるので、吊り金具１９ａについて、その構成を説明する。
【００２４】
図４及び図５に示すように、吊り金具１９ａは、水平部２０と、鉛直部２１と、固定部２４と、を含む。
【００２５】
水平部２０および鉛直部２１は、金属板が直角に屈曲されて形成されている。
【００２６】
鉛直部２１は、水平部２０と固定部２４とをつなぐ。
【００２７】
固定部２４は、鉛直部２１の下端部において、水平部２０の反対側に屈曲されて形成されている。すなわち、固定部２４は、鉛直部２１の下端から水平部２０に対して水平に、水平部２０から遠ざかる方向に延びるように設けられる。そして、固定部２４にあらかじめ固着された固定ナット２５に本体ケース７から延びる固定ボルト２６を螺合すると、図４に示すように、吊り金具１９ａの固定部２４が本体ケース７に固定される。
【００２８】
水平部２０の幅方向中央部には、水平部２０の先端に開口する切り欠き部２７ａに連通する挿通孔２７が形成されている。挿通孔２７は、水平部２０の長手方向に沿って細長い長孔状に形成される。挿通孔２７内には切り欠き部２７ａから吊りボルト１７ａを水平方向に挿通可能である。すなわち、挿通孔２７の外側に設けられる切り欠き部２７ａから吊りボルト１７ａが進入可能となっている。
【００２９】
また、水平部２０は、吊りボルト１７ａが挿通孔２７に挿通されているときに吊りボルト１７ａが切り欠き部２７ａを通って挿通孔２７から抜け出ることを規制する引っ掛け部を含む。引っ掛け部は、上側引っ掛け部３１と、下側引っ掛け部３２と、を含む。
【００３０】
水平部２０の先端において、水平補強リブ２２の先端部は、互いに対向するように内側へ直角に屈曲されて、一対の上側引っ掛け部３１が形成されている。さらに、水平部２０の先端において、挿通孔２７の切り欠き部２７ａの両側部分は、それぞれ下方へ直角に屈曲されて、一対の下側引っ掛け部３２が形成されている。すなわち、上側引っ掛け部３１は、水平部２０端部の上部において切り欠き部に２７ａに向かうように延び、下側引っ掛け部３２は、水平部２０端部から下方向に向かうように延びる。
【００３１】
吊りボルト１７ａが挿通孔２７に挿通されている状態において、上側引っ掛け部３１または／および下側引っ掛け部３２と後述するナットもしくは防振部材が当接することで、吊りボルト１７ａが挿通孔２７から抜け出るのを規制する。すなわち、上側引っ掛け部３１および下側引っ掛け部３２は、吊りボルト１７ａが挿通孔２７に挿通されているとき、吊りボルト１７ａが切り欠き部２７ａを通って挿通孔２７から抜け出るのを規制する。
【００３２】
また、上側引っ掛け部３１と下側引っ掛け部３２は、上下に連なるように形成されている。
【００３３】
なお、上側引っ掛け部３１の長さおよび下側引っ掛け部３２の長さは、ナットの高さ以上であってもよい。これにより、より確実に吊りボルト１７ａが挿通孔２７から抜け出るのを規制することができる。
【００３４】
水平部２０の幅方向両側には、鉛直部２１から遠ざかる方向、すなわち図５において上方に向かって直角に折り曲げられた水平補強リブ２２が形成されている。図４に示すように、吊りボルト１７ａが挿通孔２７に挿通されている状態において、水平補強リブ２２に上部ナット２８、防振部材３０ａが接触する。よって、吊りボルト１７ａが挿通孔２７に挿通されると、吊りボルト１７ａは挿通孔２７および水平補強リブ２２に沿って移動することとなる。
【００３５】
また、鉛直部２１の幅方向両側には、水平部２０から遠ざかる方向、すなわち図５において背面側へ直角に折り曲げられた鉛直補強リブ２３が形成されている。
【００３６】
水平補強リブ２２と鉛直補強リブ２３は、水平部２０と鉛直部２１の屈曲部で連なるように形成されている。
【００３７】
また、固定部２４の幅方向両側には、固定部２４から水平部２０に近づく方向、すなわち図５において上方に向かって直角に折り曲げられた固定補強リブ３３が形成されている。
【００３８】
水平補強リブ２２と鉛直補強リブ２３は、それぞれ水平部２０と鉛直部２１の曲げ強度を向上させる機能を有する。また、固定補強リブ３３は、固定部２４の曲げ強度を向上させる機能を有する。そして、水平補強リブ２２の長さは鉛直補強リブ２３の長さおよび固定補強リブ３３の長さより例えば２倍長く形成されていてもよい。これにより、水平補強リブ２２の長さ（高さ）を大きくすることで、吊りボルト１７ａが挿通孔２７に挿通されている状態において、ナットまたは防振部材と水平補強リブ２２とが接触する面積が大きくなり、吊りボルト１７ａをよりスムーズに移動させることができる。
【００３９】
なお、水平補強リブ２２の長さは、水平部２０から立ち上がる水平補強リブ２２の高さであり、鉛直補強リブ２３の長さは、鉛直部２１から立ち上がる鉛直補強リブ２３の高さである。また、固定補強リブ３３の長さは、固定部２４から立ち上がる固定補強リブ３３の高さである。
【００４０】
次に、吊り金具１９ａ〜１９ｄを保持する吊りボルト１７ａ〜１７ｄについて構成を説明する。吊りボルト１７ａ〜１７ｄはそれぞれ同一の構成であるので、吊り金具１９ａに対応する吊りボルト１７ａについて、その構成を説明する。
【００４１】
吊りボルト１７ａは、上端部に螺合された吊りナット１８により浴室等の天井裏に設置される。また、吊りボルト１７ａには、吊り金具１９ａを保持するための上部ナット２８及び下部ナット２９が螺合されている。上部ナット２８及び下部ナット２９の直径は、挿通孔２７の切り欠き部２７ａの開口幅より大きく形成されて、挿通孔２７内には挿通されない。そして、吊りボルト１７ａは、上部ナット２８と下部ナット２９との間の部分が水平部２０の先端側から挿通孔２７内に挿通される。
【００４２】
吊りボルト１７ａに螺合したナットが挿通孔２７の周縁に当接して、本体ケース７を支持する。
【００４３】
上部ナット２８の下側と、下部ナット２９の上側には、上部ナット２８及び下部ナット２９の直径より径の大きい防振部材３０ａ，３０ｂがそれぞれ取り付けられていてもよい。防振部材３０ａ，３０ｂは、合成ゴム等の柔軟性を有する材質で形成され、吊り金具１９ａと上部ナット２８及び下部ナット２９との間に介在されて、本体ケース７の振動が吊りボルト１７ａに伝達されにくいようにしている。
【００４４】
上側引っ掛け部３１の挿通孔２７からの長さ（高さ）は、吊りボルト１７ａの軸方向における上部ナット２８の高さより大きく形成されている。また、上側引っ掛け部３１の挿通孔２７からの長さ（高さ）は、吊りボルト１７ａの軸方向における防振部材３０ａの高さより大きく形成されている。これにより、上側引っ掛け部３１と防振部材３０ａとが当接する面積が大きくなり、より確実に吊りボルト１７ａが挿通孔２７から抜け出ることを抑制することができる。
【００４５】
同様に、下側引っ掛け部３２の挿通孔２７からの長さ（高さ）は、吊りボルト１７の軸方向における下部ナット２９の高さより大きく形成されている。また、下側引っ掛け部３２の挿通孔２７からの長さ（高さ）は、吊りボルト１７ａの軸方向における防振部材３０ｂの高さより大きく形成されている。これにより、下側引っ掛け部３２と防振部材３０ｂとが当接する面積が大きくなり、より確実に吊りボルト１７ａが挿通孔２７から抜け出ることを抑制することができる。
【００４６】
次に、上記のような支持構造を備えた浴室暖房乾燥機１の設置方法を図６〜８を用いて説明する。
【００４７】
浴室暖房乾燥機１を天井面３に設置するには、図６に示すように、あらかじめ家屋の構造物から吊下支持される吊りボルト１７に、防振部材３０ａ，３０ｂを備えた上部ナット２８及び下部ナット２９を螺合する。上部ナット２８及び下部ナット２９は、所定間隔を隔てた状態で吊りボルト１７と螺合する。また、本体ケース７の四隅部分には、それぞれ吊り金具１９ａ〜１９ｄを取付けておく。
【００４８】
次いで、本体ケース７の一方の側面に取付けた吊り金具１９ｃ，１９ｄの挿通孔２７に吊りボルト１７ｃ，１７ｄを挿通する。図６に示すように、吊り金具１９ｃ，１９ｄの挿通孔２７には、上部ナット２８と下部ナット２９の間の吊りボルト１７ｃ，１７ｄを挿通する。このとき吊りボルト１７ｃ，１７ｄは、切り欠き部２７ａを通過して挿通孔２７に挿通されることとなる。
【００４９】
次いで、吊り金具１９ｃ，１９ｄの挿通孔２７の奥部まで吊りボルト１７ｃ，１７ｄを挿通した状態で、本体ケース７を吊り金具１９ｃ，１９ｄが防振部材３０ａに当接するまで持ち上げて水平方向に維持する。そして、図７に示すように、本体ケース７の他方の側面に取付けた吊り金具１９ａ，１９ｂの挿通孔２７に吊りボルト１７ａ，１７ｂを挿通した後、本体ケース７を下降させると、図８に示すように、吊り金具１９ａ〜１９ｄが各吊りボルト１７ａ〜１７ｄの下部ナット２９上に支持された状態となる。
【００５０】
この状態で、各吊りボルト１７ａ〜１７ｄの下部ナット２９の螺合位置を調整して本体ケース７の高さ及び水平度合を調整する。次いで、上部ナット２８の螺合位置を調整して、上部ナット２８と下部ナット２９との間に各吊り金具１９ａ〜１９ｄを挟着すると、本体ケース７の天井面３への設置が完了する。
【００５１】
上記のような支持構造を備えた浴室暖房乾燥機１では、次に示す効果を得ることができる。
【００５２】
（１）挿通孔２７の外側すなわち吊りボルト１７が挿通される入り口となる部分に切り欠き部２７ａを設け、切り欠き部２７ａから挿通孔２７に吊りボルト１７を挿通させることが可能となる。また、本体ケース７を設置する際には、切り欠き部２７ａを利用して本体ケース７の一方の吊り金具１９ｃ，１９ｄの挿通孔２７に吊りボルト１７ｃ，１７ｄを挿通し、次いで、同様に切り欠き部２７ａを利用して他方の吊り金具１９ａ，１９ｂの挿通孔２７に吊りボルト１７ａ，１７ｂを挿通すると、吊りボルト１７ａ〜１７ｄで本体ケース７を仮保持することができる。従って、一人の作業者で本体ケース７を吊りボルト１７ａ〜１７ｄに仮保持することができる。
【００５３】
（２）図８に示すように、本体ケース７を吊りボルト１７ａ〜１７ｄで仮保持する状態では、防振部材３０ｂが水平部２０の下面に当接しているので、吊りボルト１７ａ〜１７ｄのいずれかが挿通孔２７内を切り欠き部２７ａに向かってスライドしても、防振部材３０ｂが下側引っ掛け部３２に当接する。従って、本体ケース７を仮保持している状態で、吊りボルト１７ａ〜１７ｄの挿通孔２７からの不用意な抜けを防止することができる。
【００５４】
（３）図９に示すように、吊りボルト１７ａ〜１７ｄで本体ケース７を仮保持している状態で本体ケース７が傾いて、一方の吊り金具１９ａ，１９ｂが上部ナット２８の防振部材３０ａに当接すると、吊りボルト１７ａ〜１７ｄのいずれかが挿通孔２７内を切り欠き部２７ａに向かってスライドしても、防振部材３０ａが上側引っ掛け部３１に当接する。従って、本体ケース７を仮保持している状態で、本体ケース７が傾いても、吊りボルト１７ａ〜１７ｄの挿通孔２７からの不用意な抜けを防止することができる。
【００５５】
（４）上部ナット２８及び下部ナット２９に防振部材３０ａ，３０ｂを設けない場合でも、上部ナット２８あるいは下部ナット２９が下側引っ掛け部３２あるいは上側引っ掛け部３１に当接する。従って、本体ケース７を仮保持している状態で、吊りボルト１７ａ〜１７ｄの挿通孔２７からの不用意な抜けを防止することができる。
【００５６】
（５）防振部材３０ａ，３０ｂにより本体ケース７の振動の吊りボルト１７ａ〜１７ｄへの伝播を抑制することができる。従って、本体ケース７の振動による騒音の発生、上部ナット２８及び下部ナット２９の緩みの発生を抑制することができる。
【００５７】
（６）水平補強リブ２２により、水平部２０の曲げ強度を向上させることができる。
【００５８】
（７）鉛直補強リブ２３により、鉛直部２１の曲げ強度を向上させることができる。
【００５９】
なお、上記実施形態は、以下のように変更してもよい。
【００６０】
・上側引っ掛け部３１と下側引っ掛け部３２は、水平補強リブ２２若しくは水平部２０を折り曲げて形成したが、別部材を水平部２０に取り付けて上側引っ掛け部３１と下側引っ掛け部３２を形成してもよい。
【００６１】
・本発明に係る支持構造により支持される設備機器は、浴室暖房乾燥機以外の空調装置等であってもよい。
【００６２】
以上、本発明に係る設備機器の支持構造およびこれを備えた浴室暖房乾燥機について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００６３】
本発明の設備機器の支持構造は、浴室暖房乾燥機以外の設備機器を天井面等に設置する支持構造として適用可能である。
【符号の説明】
【００６４】
１    浴室暖房乾燥機
２    浴室
３    天井面
４    フロントパネル
５    吸込み口
６    吹出し口
７    設備機器本体（本体ケース）
８    熱交換器
９    循環ファン
１０    ダンパー
１１    換気口
１２    換気路
１３    換気ファン
１４    制御部
１５    脱衣室
１６    操作パネル
１７ａ〜１７ｄ    吊りボルト
１８    吊りナット
１９ａ〜１９ｄ    吊り金具
２０    水平部
２１    鉛直部
２２    水平補強リブ
２３    鉛直補強リブ
２４    固定部
２５    固定ナット
２６    固定ボルト
２７    挿通孔
２７ａ    切り欠き部
２８    上部ナット
２９    下部ナット
３０ａ    防振部材
３０ｂ    防振部材
３１    上側引っ掛け部
３２    下側引っ掛け部
３３    固定補強リブ
【図１】
2019132521.tif 000003
【図２】
2019132521.tif 000004
【図３】
2019132521.tif 000005
【図４】
2019132521.tif 000006
【図５】
2019132521.tif 000007
【図６】
2019132521.tif 000008
【図７】
2019132521.tif 000009
【図８】
2019132521.tif 000010
【図９】
2019132521.tif 000011